(57)【特許請求の範囲】
【請求項１】
エンジン３及び走行ミッションケース４等を搭載すると共に、左右に駆動スプロケット４１と従動スプロケット４２を配置した機体フレーム２を、左右前輪１２と左右後輪１７との四輪で支持し、四輪歩行型の走行機体を構成し、苗２６を４条に植付ける畝２５を四輪で跨いで走行すべく構成し、
苗供給部７の各苗搬送ポット４０の下部に連結板４３を嵌合し、各連結板４３を枢支ピン４４により互いに回動自在に枢結し、多数の苗搬送ポット４０を長円形状の無端帯に形成し、該無端帯に連結した苗搬送ポット４０の側面に、前記駆動スプロケット４１と従動スプロケット４２の外周面を当接させ、該苗搬送ポット４０の無端帯が苗搬送台３９上を移動すべく構成し、該苗搬送台３９の苗搬送ポット４０の移動方向の左右に、開口部３９ａ・３９ｂを設け、
該苗搬送ポット４０の下方に支点ピン４６により蓋体４５を枢支し、該蓋体４５の下面の左右一側にローラ４７が回転自在に枢支され、該ローラ４７は、搬送方向に対して交互の蓋体４５毎の左右に配置し、前記左側または右側の開口部３９ａ・３９ｂに、蓋体４５毎の左右に設けたローラ４７が嵌入し、苗搬送ポット４０の下方に枢支した下方の蓋体４５を開閉すべく構成し、
該苗供給部７に設けられた苗搬送ポット４０に作業者が苗２６を一株ずつ投入していくことにより、苗供給部７下方の移植部２０に、各条の隣接する２条の条間と同じ間隔で、左右に並べて設けられた移植爪５１・５１に、各苗搬送ポット４０から自動的に苗２６が落とされ、隣接する２条同時の植付けが行なわれ、
更に、機体後部下方の覆土部に設けられた２条分の鎮圧輪２２・２２により、畝２５に  植付けられた２条の苗２６・２６に覆土及び鎮圧を行うことを特徴とする野菜移植機。
【発明の詳細な説明】
【０００１】
【発明の属する技術分野】
本発明は、苗供給部より苗を移植爪内に投入して、該移植爪を畝上へ移動して、移植爪を開けて畝上へ苗を落下させ、覆土輪で覆土して移植する野菜移植機に関し、特に、玉葱の苗を二条ずつ移植する移植機の技術に関する。
【０００２】
【従来の技術】
従来から、左右方向に移植爪を一対二組有し、該移植爪の上方に苗供給部を配置して、苗を移植爪内に投入して、畝上に野菜を同時に二条移植するようにして、移植効率を高める野菜移植機が公知となっている。
【０００３】
【発明が解決しようとする課題】
しかし、従来の野菜移植機は、二条同時に植えつけるために、左右二組の苗供給機構と苗植付機構を配置していたために、左右方向の幅が広くなり機体幅が広くなる。そして、一つの畝上に四条植えつける場合には、往路において１条目と３条目、復路において２条目と４条目を植えつけるようにしているために、１条目と２条目、及び、３条目と４条目の間隔を一定に保つことが難しく、施肥や中耕等の作業がやり難くなったり、二条ずつ収穫する野菜収穫機を用いて収穫するときに、掻込みが正確に行われなかったりしていたのである。
【０００４】
また、２条植え苗供給装置は１条用の装置をそのまま用いていたので、円板状の供給台に苗収納カップを配置して間欠回転駆動して、移植爪上方でカップ下面を開放して落下させていたので、移植作業はどうしても二人必要となり、そして、間欠回転する供給台のカップに苗を挿入していくために、連続的に回転する供給台に比べて挿入タイミングが難しく、速く回転すればするほど挿入が難しくなる。更に、供給台上のカップが少ないために休む間もなく挿入しなければならず、余裕がなく、苗挿入ミスが発生しやすいばかりでなく、疲労も激しい作業となっていたのである。
そこで、本発明は直線的に並べた苗搬送ポットに苗を挿入するようにして、１条目と２条目を同時に移植できるようにして、一人でも二人でも作業ができて、効率の良い作業ができる移植機を提供しようとする。
【０００５】
【課題を解決するための手段】
本発明の解決しようとする課題は以上の如くであり、次にこの課題を解決するための手段を説明する。
エンジン３及び走行ミッションケース４等を搭載すると共に、左右に駆動スプロケット４１と従動スプロケット４２を配置した機体フレーム２を、左右前輪１２と左右後輪１７との四輪で支持し、四輪歩行型の走行機体を構成し、苗２６を４条に植付ける畝２５を四輪で跨いで走行すべく構成し、苗供給部７の各苗搬送ポット４０の下部に連結板４３を嵌合し、各連結板４３を枢支ピン４４により互いに回動自在に枢結し、多数の苗搬送ポット４０を長円形状の無端帯に形成し、該無端帯に連結した苗搬送ポット４０の側面に、前記駆動スプロケット４１と従動スプロケット４２の外周面を当接させ、該苗搬送ポット４０の無端帯が苗搬送台３９上を移動すべく構成し、該苗搬送台３９の苗搬送ポット４０の移動方向の左右に、開口部３９ａ・３９ｂを設け、該苗搬送ポット４０の下方に支点ピン４６により蓋体４５を枢支し、該蓋体４５の下面の左右一側にローラ４７が回転自在に枢支され、該ローラ４７は、搬送方向に対して交互の蓋体４５毎の左右に配置し、前記左側または右側の開口部３９ａ・３９ｂに、蓋体４５毎の左右に設けたローラ４７が嵌入し、苗搬送ポット４０の下方に枢支した下方の蓋体４５を開閉すべく構成し、該苗供給部７に設けられた苗搬送ポット４０に作業者が苗２６を一株ずつ投入していくことにより、苗供給部７下方の移植部２０に、各条の隣接する２条の条間と同じ間隔で、左右に並べて設けられた移植爪５１・５１に、各苗搬送ポット４０から自動的に苗２６が落とされ、隣接する２条同時の植付けが行なわれ、更に、機体後部下方の覆土部に設けられた２条分の鎮圧輪２２・２２により、畝２５に  植付けられた２条の苗２６・２６に覆土及び鎮圧を行うものである。
【０００６】
【発明の実施の形態】
次に、発明の実施の形態を説明する。
図１は本発明の一実施例に係る歩行型野菜移植機の全体的な構成を示した側面図、図２は同じく平面図、図３は機体フレームとミッションケース部分の側面図、図４は機体フレーム部分の平面図、図５は苗供給部の平面図、図６は受継部の後面断面図、図７は同じく平面図、図８は移植部の後面図、図９は同じく側面図、図１０は同じく平面図、図１１は移植爪の側面断面図、図１２は鎮圧輪支持部の側面図、図１３は鎮圧輪部分の後面図である。
【０００７】
本発明の一実施例に係る玉葱用の歩行型の野菜移植機について全体構成から説明する。  図１、図２において、野菜移植機１は、機体フレーム２の前部上にエンジン３を載置し、前後中央部上に走行ミッションケース４と植付けミッションケース５を配置し、機体フレーム２後部上から後方にハンドル部材となるハンドルフレーム６を水平方向に連設して、該ハンドルフレーム６の中途部上に苗供給部７を配置し、ハンドルフレーム６後部を運転操作部９としている。
【０００８】
前記機体フレーム２の前部には前輪支持軸１０を横架し、該前輪支持軸１０の両側に前輪支持フレーム１１・１１の一端を取り付け、該前輪支持フレーム１１・１１の他端に前輪１２・１２を支持している。また、機体フレーム２の中途部より回動支持軸１３・１４を横架し、走行ミッションケース４より後輪駆動軸１５を水平方向側方に突出し、該後輪駆動軸１５の両側に駆動ケース１６・１６を連設して、該駆動ケース１６・１６の後部に後輪１７・１７を支持している。
そして、前輪支持フレーム１１と駆動ケース１６はリンク機構を介して連結されるとともに、機体フレーム２下部に設けた油圧シリンダ１９とリンク機構を介して駆動ケース１６が連結され、該油圧シリンダ１９を伸縮させることにより前輪支持フレーム１１と駆動ケース１６が前輪支持軸１０及び後輪駆動軸１５を中心に回動されて、機体を昇降可能としている。
【０００９】
そして、植付けミッションケース５の後部であって後述する後フレーム２ｂ・２ｂの間の苗供給部７の下方に移植部２０が配置され、後フレーム２ｂ・２ｂで保護できるとともに、該移植部２０は移植爪５１を昇降して、上端位置で苗供給部７より苗２６を受け取り、下端位置で移植爪５１を開いて畝２５上に苗を落下させて、その後方に配置した覆土輪２２により苗の根部に土を寄せて覆土して移植する構成としている。
【００１０】
次に、各部の構成を説明する。
まず、走行部及び植付け部を支えるシャーシから説明する。図３、図４に示すように、シャーシは機体フレーム２と、該機体フレーム２に連設する走行ミッションケース４と植付けミッションケース５と、該走行ミッションケース４と植付けミッションケース５とを連結する連結部材となる連結プレート３０と、前記植付けミッションケース５と機体フレーム２を連結するハンドルフレーム６から構成され、それぞれを連結固定することにより補強部材を必要とせず補強し合い剛性を高める構成としている。
【００１１】
前記機体フレーム２は側面視略逆「へ」字状に構成して、該機体フレーム２を前フレーム２ａと後フレーム２ｂから構成して略前後中央部で連結し、該前フレーム２ａはプレート状に構成してその前部上にエンジン３を載置固定し、後部上にステー２ｃを介して走行ミッションケース４を載置固定している。前記後フレーム２ｂは横フレーム２ｄから左右両側より後方へパイプを延設した平面視Π状に構成して、該前部の左右水平方向の横フレーム２ｄに前フレーム２ａ後端を固設している。左側の後フレーム２ｂの前後中途部上より中柱２ｅを立設している。また、前フレーム２ａ後部に前記回動支点軸１３を支持して側方に突出し、横フレーム２ｄ延長上に回動支点軸１４を支持し、走行ミッションケース４下部に後輪駆動軸１５をそれぞれ左右水平方向に平行に支持している。
【００１２】
そして、前フレーム２ａの前後方向の左右中心線を走行部（機体）の中心線として、左右一側（本実施例では進行方向左側）に偏位して回動支持軸１３・１４と後輪駆動軸１５が側方に延設されて、野菜移植機１が畝２５を跨いで走行するときに、走行部が左右一側に偏位して走行し、後述するように往路と復路で左右一側２列ずつ（往路で１条目と二条目を、復路で３条目と４条目を）移植できるようにしている。なお、左右の前輪１２・１２と後輪１７・１７は畝２５の形状や幅等に合わせて左右位置（車幅）を調整できるようにしている。
【００１３】
そして、図２、図３に示すように、前記後フレーム２ｂの後部上及び中柱２ｅ上部にハンドルフレーム６の前部が連結され、該ハンドルフレーム６の前部を植付けミッションケース５上部と連結し、前後中途部上に苗供給部７と左右の苗載台３１・３１を支持し、後部に昇降レバー３２や主クラッチレバー３３や作業レバーやアクセルレバーやサイドクラッチレバーや高さ調節レバー等の操作レバーを配置している。
【００１４】
前記ハンドルフレーム６は平面視「Ｅ」状に右フレーム６Ｒと中フレーム６Ｍと左フレーム６Ｌから構成し、右フレーム６Ｒと中フレーム６Ｍの前部間に植付けミッションケース５を支持固定し、前後中途部間に連結プレート３４を架設して、該連結プレート３４の下面に前記右側の後フレーム２ｂ後端上部が固設される。このようにして３者が互いに連結固定されて剛性をアップしている。該連結プレート３４下部には苗供給部７の駆動ケースが付設される。
【００１５】
また、中フレーム６Ｍと左フレーム６Ｌの前後中途部間に補強パイプ６ａが連結され、該左フレーム６Ｌの前部下面には前記中柱２ｅ上端が連結固定される。このようにして、右フレーム６Ｒと中フレーム６Ｍと左フレーム６Ｌの間で連結固定することで剛性をアップしている。
また、右フレーム６Ｒの前後中途部より苗載台フレーム３５が外側方に突設されて苗載台３１を取り付け、左フレーム６Ｌより苗載台フレーム３６を外側方に突設して苗載台３１を取り付けている。
【００１６】
本実施例では、機体右側のハンドルフレーム６側部の後輪１７後方（苗供給部７の右斜め後方）に主作業者２３が位置し、機体左側のハンドルフレーム６側部の後輪１７後方（苗供給部７の左斜め後方）に補助作業者２４が位置し、或いは、一人作業の場合は機体右側のみ位置し、主作業者２３は前記操作レバーを操作するとともに、苗載台３１から苗２６を取り、苗供給部７の各苗搬送ポット４０に一つずつ（あるいは所定本数ずつ）苗を挿入していく。補助作業者２４は主作業者２３が苗搬送ポット４０に挿入できなかった苗搬送ポット４０に苗を挿入して補完する。
【００１７】
前記走行ミッションケース４と植付けミッションケース５はそれぞれ上下方向に向けて機体中央部の前後に並設され、該走行ミッションケース４と植付けミッションケース５の左右一側に連結プレート３０を貼設して両ケースを連結する構成として一体的な構成物としている。そして、前述のように前フレーム２ａの後部上に走行ミッションケース４を固設し、後フレーム２ｂ上部にハンドルフレーム６を介して植付けミッションケース５の上部を固設している。こうして、側面視において、機体フレーム２が逆「へ」字状に折れ曲がり状に構成されている中央の凹部上方を、走行ミッションケース４と植付けミッションケース５と連結プレート３０により連結固定することによって、側面視で三角形を構成することができて剛性を高めているのである。
【００１８】
次に、苗供給部７について図２、図５、図６、図７より説明する。
図２に示すように、前記左フレーム６Ｌの中途部より補助作業者２４側（機体中心と反対側）へ平面視Ｕ字状の支持フレーム３７が水平側方へ突設され、該支持フレーム３７とハンドルフレーム６の前後中途部上に、板体を長円形（長リング形）に構成した苗搬送台３９が略水平に固設されている。
【００１９】
そして、図２、図５に示すように、駆動スプロケット４１が連結プレート３４上に、従動スプロケット４２が支持フレーム３７上にそれぞれ回転自在に支持して配置され、該駆動スプロケット４１と従動スプロケット４２にチェーン状に連結した苗搬送ポット４０連が巻回されている。該駆動スプロケット４１へは前記植付けミッションケース５よりチェーン等の伝動機構を介して動力が伝達される。このようにして苗供給部７が構成される。
【００２０】
こうして、苗搬送台３９が機体中心から偏位した車輪（前輪１２・後輪１７）側へ延設されることで、苗供給部７が畝２５を跨ぐように配設されて、二条植えの場合、四条の植付け幅を跨ぐようになり、畝２５の両側に位置する主作業者２３と補助作業２４の両者が苗供給部７に対面して苗載台３１より苗を取って苗搬送ポット４０に苗を供給できるようにしている。
そして、主作業者２３が位置する走行部側に駆動スプロケット４１を配置して苗供給部７を駆動するようにして、植付けミッションケース５からの駆動伝達経路が短く、伝達機構をコンパクトに構成できるようにしている。
また、苗搬送ポット４０連を長円形とすることで前後に左右方向の直線部分（または円弧状の略直線部分）を構成することができて、左右方向の搬送距離を長くして苗を挿入するための時間を長くして苗供給を行なえる時間を長くして挿入抜けがないようにできて、移植するタイミングを従来よりも速くすることで移植効率を上げられるようにしている。  なお、本実施例では苗搬送を長円形としているが、少なくとも直線部分が苗供給部７と後述する受継部５０にあればよく、三角形状に構成することも四角形状または多角形状に構成することも可能である。
【００２１】
前記苗搬送ポット４０は、図６、図７に示すように、筒体の上部を拡開した漏斗状に構成し、上方より苗を挿入し易い形状としている。苗搬送ポット４０の下部外周には連結板４３が直径方向に延設して水平方向に固設され、該連結板４３の端部同士が隣接する苗搬送ポット４０の連結板４３と枢支ピン４４により互いに回動自在に枢結され、苗搬送ポット４０と連結板４３と枢支ピン４４によりチェーン状に連結して無端体を構成して、チェーン等を不要として簡単な構成としている。
そして、該苗搬送ポット４０の上下中途部側面に前記駆動スプロケット４１と従動スプロケット４２の外周面が当接するようにして、本実施例では平面視右回り回動して、補助作業者２４側で反転して受継部５０側へ苗を搬送するようにしている。
なお、駆動スプロケット４１と従動スプロケット４２は上下複数枚（本実施例では二枚）配置して、苗搬送ポット４０の上下中途部に当接して安定して搬送できるようにしている。但し、チェーンやベルト等の無端体に直接苗搬送ポット４０を固定し、チェーンまたはベルトを回動駆動する構成とすることも可能である。
【００２２】
前記連結板４３の一側の下部（搬送方向前部が好ましい）にはプレート状の蓋体４５の一側が支点ピン４６により枢支され、該蓋体４５の他側の上面で前記苗搬送ポット４０の下面を蓋する構成としている。つまりシャッターとしている。そして、該蓋体４５の他側の下面の左右一側にはローラ４７が回転自在に枢支され、苗搬送台３９上を転動するようにしている。該ローラ４７は苗搬送ポット４０毎に取り付けられるが、搬送方向に対して左右交互にローラ４７が配置されている。つまり、一つの苗供給部７において、多数連結した苗搬送ポット４０・４０・・・は偶数個とし、それぞれ順に番号を付したときに、奇数に位置する苗搬送ポット４０と偶数に位置する苗搬送ポットでは搬送方向に対して交互に左右逆側にローラ４７・４７・・・を配置しているのである。言い換えれば、奇数（または偶数）のローラ４７は内周側に、偶数（または奇数）のローラ４７は外周側に配置するのである。
【００２３】
そして、前記苗搬送台３９は前記ローラ４７が転動するレールの役目を果たしており、該苗搬送台３９の前記ローラ４７が転動する経路において、受継部５０、つまり、機体上方の苗搬送台３９の前部側に開口部（または切欠）３９ａ・３９ｂを左右前後位置をズラせて並設配置して、該開口部３９ａ・３９ｂでローラ４７を支えるものがなくなり支点ピン４６を中心に蓋体４５が下方に回動して、苗搬送ポット４０の下方を開口し、苗を移植部２０に落下させるようにしている。
【００２４】
即ち、左右方向に長い長円形の苗搬送台３９の前部右側の苗搬送ポット４０の移動軌跡部に開口部３９ａ・３９ｂを搬送方向に沿って開口し、該開口部３９ａ・３９ｂは苗搬送ポット４０の底面積よりも大きくして苗を落下できるようにするとともに、搬送方向に対しては連結した苗搬送ポット４０の３ピッチまたは５ピッチ離れた位置に開口しており、この間隔は条幅（条間隔）に合わせている。
そして、進行方向に対して一方は左右一側を、他方は左右他側をそれぞれローラ４７が落ち込むように位置を合わせて側方に大きく開口し、ローラ４７が位置しない側は苗搬送ポット４０の底面よも若干広げる程度で苗は落下する（蓋体４５が下方へ回動できる）が、進行方向前後隣接する苗搬送ポット４０に付設されているローラ４７は落ち込まないようにしている。つまり、開口部３９ａ・３９ｂは苗搬送ポット４０の搬送方向中心線に対して、互いに左右逆側に広げて開口している。
そして、開口部３９ａ・３９ｂ内における進行方向終端側のローラ４７が通過する位置には、徐々に上昇して苗搬送台３９のローラ４７転動面につながるスロープ（傾斜面）３９ｃ・３９ｃがそれぞれ設けられて、ローラ４７が引っ掛かることなく移動に伴って徐々に蓋体４５が閉じるようにしている。
【００２５】
このように、苗供給部７は長円状に苗搬送ポット４０・４０・・・が配置されて、機体後方の主作業者２３と補助作業者２４が位置する前を順に通過して、その通過時に苗２６を苗搬送ポット４０内に挿入し、その前方の移植部２０が位置する上方へ回転移動させる。この移植部２０上方位置において、３ピッチ離れたローラ４７・４７が同時に開口部３９ａ・３９ｂ内に落ち込み、蓋体４５・４５を下方に回動して開き、苗を落下させて移植部２０の移植爪５１・５１内に投入するようにしている。この落下させる部分を受継部５０とする。つまり、受継部５０は駆動スプロケット４１が位置する苗供給部７の駆動側に位置し、機体側に位置することによって移植部２０と近づけることができて受継が良好となる。
そして、ローラ４７・４７はスロープ３９ｃ・３９ｃに当接して徐々に上昇して蓋体４５・４５を閉じるのである。従って、一つの移植爪５１に対して苗搬送ポット４０から一つおきに供給される。つまり、奇数となる苗搬送ポット４０は左右の開口部の左側（または右側）、偶数となる苗搬送ポット４０は右側（または左側）の開口部で下方の蓋体４５が開かれ、奇数と偶数で左右の条（１条と２条または３条と４条）の移植爪５１・５１に落下することになる。よって、同時２条の植付けが可能となり、左右条の間隔も一定に保てるのである。
【００２６】
次に、移植部２０について図８乃至図１０より説明する。
前記後フレーム２ｂ・２ｂの間の機体中央部における植付けミッションケース５の後方に移植部２０が配設され、該移植部２０は、左右一側に配置され駆動部となるロータリケース５２と、左右中央部に位置して受継部５０から畝２５へ搬送する左右の移植爪５１・５１と、左右他側方に配置してガイド部となる昇降ガイド５３と、これらを連結するアームやリンク等から構成されている。ロータリケース５２と昇降ガイド５３は左右機体フレーム２に固定され、この間に移植爪５１・５１が配設され、該移植爪５１・５１は前記受継部５０の下方で側面視楕円状の軌跡で昇降するように構成されている。
【００２７】
前記ロータリケース５２は一端が機体フレーム２より左右水平方向に突設した支点軸５４に回転自在に支持され、該ロータリケース５２の外側側面の支点軸５４外周部に伝動体となるスプロケット５５が固設され、チェーン等の伝動手段を介して前記植付けミッションケース５と連動連結され、該移植部２０と前記苗供給部７が同期して駆動するように構成されている。尚、スプロケット５５の代わりに歯車等により伝動する構成とすることもでき限定するものではない。
【００２８】
前記ロータリケース５２内には三つの歯車が直列的に配置してそれぞれ噛合され、ロータリケース５２他側より出力軸５６を前記スプロケット５５と反対側に突出している。該出力軸５６上にアーム５７の一端が固設されている。こうして、ロータリケース５２が一回転すると同時にアーム５７が逆方向に一回転するように前記歯車が設定されている。前記アーム５７の他端に連結軸５９の一端が固設され、該連結軸５９上に条幅に合わせて移植爪支持体６０・６０の一側（前側）が軸受を介して回転自在に支持されている。該移植爪支持体６０・６０の前後中途部間には連結補助軸６２が連結されて、剛性をアップしている。該移植爪支持体６０は左右のプレートより構成して、左右のプレート間の連結軸５９上に開閉カム６１を固設している。
【００２９】
前記移植爪支持体６０の他側（後側）には漏斗状のカップ６０ａを形成して、受継部５０より苗が入り易くし、該カップ６０ａ下部に開閉可能に移植爪５１を配置している。移植爪５１の開閉機構は、前記カップ６０ａの前部と後部に同距離はなれた位置に爪支点軸６３・６３を左右水平方向に設け、該爪支点軸６３に移植爪５１の上部の前後一端を枢支している。そして、移植爪５１は前後略対称に構成したくちばし状の爪部５１ａ・５１ａを合わせた状態で苗を収納支持し、開いた状態で苗を落下させるようにしており、合わせる側の爪部５１ａ上部のカップ６０ａの左右両側に枢支軸６４・６４を設けて前後の爪部５１ａ・５１ａを連結している。そして、該枢支軸６４・６４とカップ６０ａ上部との間にバネ６９・６９を介装して、枢支軸６４・６４を持ち上げるようにして、移植爪５１を閉じるように付勢している。
【００３０】
また、前記開閉カム６１側に位置する爪部５１ａの爪支点軸６３上には当接アーム６５の一端が枢支され、該当接アーム６５の他端にローラ６６を設けて前記開閉カム６１の外周に当接するように構成している。該当接アーム６５と爪部５１ａ上部との間には爪開閉量調節機構６７が設けられており、該爪開閉量調節機構６７は両者間にボルト６８を螺装して、該ボルト６８を回動することにより両者の間隔を調節して、爪部５１ａの回動量を調節できるようにしている。
【００３１】
つまり、前記バネ６９により爪部５１ａは閉じるように付勢され、支点軸６３に対して反対側に位置する当接アーム６５の先端は開閉カム６１に当接されて回動が規制されている。即ち、開閉カム６１の外周形状によって爪部５１ａが回動して移植爪５１が開閉されることになるのである。このように構成することによって、常に移植爪５１は閉じ方向に付勢され、開閉カム６１により強制的に開くように制御されるため、開き位置でロックするような構成では、十分な開きが得られないとロックできずに苗を落とすことができない場合があったが、本実施例のように構成することで確実に開いて苗を落下させることができるのである。
【００３２】
そして、前記ロータリケース５２と左右反対側に位置する移植爪支持体６０の前部が上方に延出されて延出部６０ｂが形成され、該延出部６０ｂより支持軸７０が昇降ガイド５３側の側方に突出され、該支持軸７０の端部にローラ７１を設けて上下方向に配置した昇降ガイド５３に嵌入して、移植爪５１の昇降をガイドするようにしている。
【００３３】
このような構成において、移植爪５１が上昇端に位置して爪部５１ａ・５１ａは閉じて、受継部５０において、苗供給部７より苗が投入されると、植付けミッションケース５からの動力によりロータリケース５２が回動され、アーム５７も同時に回動されて、左右の一対の移植爪５１・５１は同時に、昇降ガイド５３に沿って下降し、植付け爪５１は略楕円軌跡を描いて下降する。
そして、下端位置まで下降すると、開閉カム６１の回動により、該開閉カム６１に当接した当接アーム６５が回動されて（開閉カム６１の小径部に当接する）、爪支点軸６３・６３を中心に爪部５１ａが回動されて、移植爪５１・５１が開かれ、畝２５上の下端位置で苗が落下放出されるのである。更に回動すると、移植爪５１・５１が上昇されて、上昇位置で開閉カム６１の回転により左右一対の移植爪５１・５１が同時に閉じられるのである。
【００３４】
次に、覆土輪２２の支持構成について図１２、図１３より説明する。
前記左右の後フレーム２ｂ・２ｂの前後中途部下面から下方にステー７２・７２が突設され、該ステー７２・７２に鎮圧輪フレーム７３の前端が支点軸８０により枢支されて枢支部としている。該枢支部近傍に後述するロック部８９が設けられている。該鎮圧輪フレーム７３は平面視Ｕ字状に構成し、後端部より後方にハンドル７４を突出し、左右中央部より上方に支持ステー７５を突設し、下方に取付フレーム７６を垂設している。
【００３５】
前記取付ステー７６下端に前後方向に枢支軸９０を突設し、該枢支軸９０上に鎮圧輪支持フレーム９１の下部を枢支している。該鎮圧輪支持フレーム９１は後面視において、横「Ｅ」型に構成して、中央のフレーム下部に前記枢支軸９０を枢支し、左右両側のフレームと中央のフレームの下部の間に鎮圧輪２２・２２・２２・２２を左右一対ずつ回転自在に配置している。この一対の鎮圧輪２２・２２は前記移植爪５１・５１の進行方向の線を跨ぐ構成としている。こうして、左右中央下部に枢支軸９０を配置して左右の鎮圧輪２２・２２・・・を左右傾倒自在に支持して、畝２５上面の傾斜に追随して鎮圧精度を高め、移植後の苗２６の根部の両側を押さえる構成としている。
【００３６】
前記支持ステー７５の上部に左右方向に枢支軸７７を設け、該枢支軸７７に延設部材となるガイド杆７８の一側が摺動自在に挿入され、該枢支軸７７の両側のガイド杆７８上には付勢部材となるバネ７９ａ・７９ｂが外嵌されている。該ガイド杆７８の他端は前記ハンドルフレーム６（中フレーム６Ｍ）の後部に支点軸８１により回転自在に支持されている。
このように構成することによって、前記鎮圧輪２２は前記バネ７９ｂの付勢力により下方へ押圧するように付勢されている。そして、作業終了時や回行するときに、ハンドル７４を持って鎮圧輪２２を上昇させると、枢支軸７７が支点軸８０・８１を結ぶ線上よりも上方に位置すると死点越えとなって、鎮圧輪２２を上昇した位置に維持することができるのである。
【００３７】
次に、鎮圧輪２２を上昇させた位置にロックするためのロック部８９の構成について説明する。
前記枢支部近傍にはロック部８９が設けられている。該ロック部８９は前記鎮圧輪フレーム７３の回動基部側に枢支軸９３によりロックアーム９４の一端を枢支し、該ロックアーム９４の他側には長手方向と上方（支点軸８０に対して半径方向）に延びるＬ字状の長孔９４ａが形成され、一方、機体フレーム２（後フレーム２ｂ）の前記ステー７２よりも上方位置に係止ピン９５を突出して、該係止ピン９５を前記長孔９４ａに挿入している。
【００３８】
更に、前記ロックアーム９４の他端（上端）にワイヤー９６とバネ９７の一端が連結され、該バネ９７の他端は前方の後フレーム２ｂに連結されてロックアーム９４を前方へ回動するように付勢し、ワイヤー９６の他端は前記昇降レバー３２の回動基部設けたアーム９９と連結している。該昇降レバー３２には更に図示しないワイヤー等を介してエンジン３近傍に設けた油圧操作レバーと連結され、該昇降レバー３２の操作により前記油圧シリンダ１９を作動させて機体を昇降可能としている。
【００３９】
このような構成において、前記ハンドル７４を持ち上げて鎮圧輪２２を上昇させると、ロックアーム９４も持ち上げられて、係止ピン９５が長孔９４ａに沿って下降し、鎮圧輪２２が上昇位置で前述の如く死点越えによって上昇位置で維持される位置に至ると、係止ピン９５が長孔９４ａの垂直部９４ｂに入り、ロックアーム９４はバネ９７の引っ張り力により下方へ回動付勢され、係止ピン９５が長孔９４ａの垂直部９４ｂに維持され、鎮圧輪２２が自重等により下方へ回動しようとしても、垂直部９４ｂに係止ピン９５が係合されて回動できず、鎮圧輪２２は上昇位置にロックされることになる。
そして、作業開始時や回行後の作業再開時に、昇降レバー３２を機体が下降するように、前方へ回動操作すると、ワイヤー９６が引っ張られてロックアーム９４を後方へ回動し、この回動によって長孔９４ａの内面が係止ピン９５を下方に押して鎮圧輪フレーム７３を下方へ押し、死点越え部分を通過させて鎮圧輪２２を下げるのである。つまり、昇降レバー３２の下降操作に連動して鎮圧輪２２を下降することができるのである。このようにして昇降レバー３２の下降操作で鎮圧輪２２も同時に下降させて操作性を向上しているのである。
なお、本実施例においては、２条植えとしているが、移植爪及びその駆動機構を更に一対左右方向に付加して４条植えとすることも可能である。また、本実施例では走行部が進行方向右側に偏心しているが、左側に偏心した構成とすることも可能である。
【００４０】
【発明の効果】
本発明は、以上のように構成したので、以下に示すような効果を奏するのである。
エンジン３及び走行ミッションケース４等を搭載すると共に、左右に駆動スプロケット４１と従動スプロケット４２を配置した機体フレーム２を、左右前輪１２と左右後輪１７との四輪で支持し、四輪歩行型の走行機体を構成し、苗２６を４条に植付ける畝２５を四輪で跨いで走行すべく構成し、苗供給部７の各苗搬送ポット４０の下部に連結板４３を嵌合し、各連結板４３を枢支ピン４４により互いに回動自在に枢結し、多数の苗搬送ポット４０を長円形状の無端帯に形成し、該無端帯に連結した苗搬送ポット４０の側面に、前記駆動スプロケット４１と従動スプロケット４２の外周面を当接させ、該苗搬送ポット４０の無端帯が苗搬送台３９上を移動すべく構成し、該苗搬送台３９の苗搬送ポット４０の移動方向の左右に、開口部３９ａ・３９ｂを設け、該苗搬送ポット４０の下方に支点ピン４６により蓋体４５を枢支し、該蓋体４５の下面の左右一側にローラ４７が回転自在に枢支され、該ローラ４７は、搬送方向に対して交互の蓋体４５毎の左右に配置し、前記左側または右側の開口部３９ａ・３９ｂに、蓋体４５毎の左右に設けたローラ４７が嵌入し、苗搬送ポット４０の下方に枢支した下方の蓋体４５を開閉すべく構成し、該苗供給部７に設けられた苗搬送ポット４０に作業者が苗２６を一株ずつ投入していくことにより、苗供給部７下方の移植部２０に、各条の隣接する２条の条間と同じ間隔で、左右に並べて設けられた移植爪５１・５１に、各苗搬送ポット４０から自動的に苗２６が落とされ、隣接する２条同時の植付けが行なわれ、更に、機体後部下方の覆土部に設けられた２条分の鎮圧輪２２・２２により、畝２５に  植付けられた２条の苗２６・２６に覆土及び鎮圧を行うので、チェーン等を不要として簡単な構成とすることができる。
また、本発明は直線的に並べた苗搬送ポットに苗を挿入するようにして、１条目と２条目を同時に移植できるようにして、一人でも二人でも作業ができて、効率の良い作業ができる移植機を提供するものである。
【００４１】
また、前記苗供給部の苗搬送ポット４０連を搬送する構成において、機体フレーム２上の左右に駆動スプロケット４１と従動スプロケット４２を配置し、チェーン状に連結した苗搬送ポットの側面に駆動スプロケット４１と従動スプロケット４２の外周面が当接するように配置したので、安定して搬送できるようになる。
【図面の簡単な説明】
【図１】  本発明の一実施例に係る歩行型野菜移植機の全体的な構成を示した側面図である。
【図２】  同じく平面図である。
【図３】  機体フレームとミッションケース部分の側面図である。
【図４】  機体フレーム部分の平面図である。
【図５】  苗供給部の平面図である。
【図６】  受継部の後面断面図である。
【図７】  同じく平面図である。
【図８】  移植部の後面図である。
【図９】  同じく側面図である。
【図１０】  同じく平面図である。
【図１１】  移植爪の側面断面図図である。
【図１２】  鎮圧輪支持部の側面図である。
【図１３】  鎮圧輪部分の後面図である。
【符号の説明】
１    野菜移植機
２    機体フレーム
７    苗供給部
２６  苗
４０  苗搬送ポット
４１  駆動スプロケット
４２  従動スプロケット
５１  移植爪
【図１】
0003804051.tif 000002
【図２】
0003804051.tif 000003
【図３】
0003804051.tif 000004
【図４】
0003804051.tif 000005
【図５】
0003804051.tif 000006
【図６】
0003804051.tif 000007
【図７】
0003804051.tif 000008
【図８】
0003804051.tif 000009
【図９】
0003804051.tif 000010
【図１０】
0003804051.tif 000011
【図１１】
0003804051.tif 000012
【図１２】
0003804051.tif 000013
【図１３】
0003804051.tif 000014